(57)【要約】【課題】４０Ｗ形蛍光灯型半導体ランプを２本連結して１１０Ｗ形にする場合に従来の照明機器にそのまま使用して安定的で安全な装着状態を確保可能とする。【解決手段】点灯回路及び半導体発光素子を内蔵し両端側に照明機器のソケット部に装着するための口金２３，２３を有して、一方の口金２３のみ点灯回路に接続され他方の口金２３が電気的に接続されずに着脱可能とされた直管４０Ｗ形の蛍光灯型半導体ランプとし、口金２３を外した本体２０Ａ端部側が放熱筒２１Ａに開口端２１ａ及びネジ孔２１０を有しており、その２本を開口端２１ａを対向させ合成樹脂製の連結具３０Ａを挿入しネジ６２でネジ孔２１０に係合させることで脱抜不能に連結され、口金２３をアダプタ２４を介し照明機器のソケット部に各々装着することで連結部で電気的に接続されることなく両口金２３で電源側に各々接続され、直管１１０Ｗ形蛍光灯型半導体ランプ１Ａとして使用するものとした。【選択図】図３
2014135211.tif 000002
【特許請求の範囲】
【請求項１】
上部側が金属製の放熱筒で下部側が樹脂製のカバーとされた円筒状の本体に整流手段を有した点灯回路及び半導体発光素子を内蔵するとともに、前記本体両端側に蛍光灯用照明機器のソケット部に装着するための口金を有しており、一方の前記口金のみ前記点灯回路に接続され他方の前記口金が電気的に接続されずに着脱可能とされた直管４０Ｗ形の蛍光灯型半導体ランプであって、
前記着脱可能な口金を外した前記本体端部側は、前記放熱筒に所定形状の開口端及び連結用の係合構造を有しており、前記蛍光灯型半導体ランプの２本が、前記開口端を対向した状態で１本の合成樹脂製横長部材からなる連結具の左右両端側を前記開口端から各々挿入し所定の係合手段で前記係合構造に各々係合させることにより脱抜不能に連結されて、両端側の前記口金を所定のアダプタを介し１１０Ｗ形蛍光灯用照明機器のソケット部に各々装着することにより連結部で電気的に接続されることなく前記両口金で電源側に各々接続され、直管１１０Ｗ形の蛍光灯型半導体ランプとして使用されることを特徴とする蛍光灯型半導体ランプ。
【請求項２】
上部側が金属製の放熱筒で下部側が樹脂製のカバーとされた円筒状の本体に整流手段を有した点灯回路及び半導体発光素子を内蔵するとともに前記本体両端側に蛍光灯用照明機器のソケット部に装着するための口金を有しており一方の前記口金のみ前記点灯回路に接続され他方の前記口金が電気的に接続されずに着脱可能とされた直管４０Ｗ形の蛍光灯型半導体ランプを２本連結してなる直管１１０Ｗ形の蛍光灯型半導体ランプであって、２本の前記直管４０Ｗ形の蛍光灯型半導体ランプを連結するための合成樹脂製で横長部材からなる連結具と、前記放熱筒端部側とこれに挿入した前記連結具とを係合させるための係合手段と、前記本体長手方向に対し直角方向の断面形状が上端の解放した丸底フラスコ状とされて連結部の外周面に密着して保持する丸く湾曲した保持部及び該保持部の両上端側から各々上向きに延設され一体的に固定面側の吊り下げ孔に嵌入されて掛止構造で前記吊り下げ孔側に掛止する対の掛止軸を備えた合成樹脂製の吊り下げ支持具とを備えており、前記着脱可能な口金を外した前記本体端部側は、前記放熱筒に所定形状の開口端及び連結用の係合構造を有しており、前記直管４０Ｗ形の蛍光灯型半導体ランプの２本が、前記開口端を対向した状態で前記連結具の左右両端側を前記開口端から各々挿入して所定の係合手段で前記係合構造に各々係合させることにより脱抜不能に連結されて、両端側の前記口金を所定のアダプタを介し１１０Ｗ形蛍光灯用照明機器のソケット部に各々装着することにより連結部で電気的に接続されることなく前記両口金で電源側に各々接続され、中央部分が前記吊り下げ支持具で支持された状態で使用されることを特徴とする蛍光灯型半導体ランプ。
【請求項３】
前記吊り下げ支持具は、前記対の掛止軸を上下に挿通させる挿通孔を有した鍔状の締結用部品を備えており、且つ、前記対の掛止軸が、対向する面側に所定幅の隙間を有して弾性的に開閉可能とされているとともに前記対向面の反対側の面に前記掛止構造としての遠心方向に延びた庇状の返しを縦に複数段有して互いに対称形とされており、前記締結用部品を前記対の掛止軸に対しその開閉方向に前記挿通孔の前記長径が一致する向きで前記隙間が所定幅開いた状態で上から挿通し、前記掛止軸基端側の前記返しの下方で軸周りに９０度回動させて前記挿通孔の短径が前記開閉方向に一致する向きにすることで、前記隙間を閉じて対の掛止軸を一体化しながら前記保持部を前記連結部に締結・固定させる、ことを特徴とする請求項２に記載した蛍光灯型半導体ランプ。
【請求項４】
前記連結具は、その挿入部分の所定範囲が、前記本体長手方向に対する直角方向の断面形状を中空の略半円形とされた前記放熱筒の開口端から挿入することで、前記放熱筒内部における湾曲した上部内周面の所定範囲と平坦な底面中央部分の両方に当接するものとして、前記直角方向の断面形状が略Ｔ字状又は傘状とされている、ことを特徴とする請求項１，２または３に記載した蛍光灯型半導体ランプ。
【請求項５】
前記放熱筒の係合構造がその周壁上部側を貫通して設けたネジ挿通孔とされ、前記係合手段がネジとされており、前記連結具の両端側を前記開口端から挿入した状態で外側から前記ネジ挿通孔を介し前記連結具の挿入部分に前記ネジを螺入することにより、前記連結具が前記放熱筒に対し脱抜不能に固定される、ことを特徴とする請求項１，２，３または４に記載した蛍光灯型半導体ランプ。
【請求項６】
前記放熱筒の係合構造は、その周壁上部側を貫通して設けた係合用切り欠きとされ、前記係合手段が前記連結具の挿入部分外周面の対応位置に突設されて挿入時の挿入方向の動作は停止させず前記係合用切り欠きに係合した状態で脱抜方向の動作を停止させる係合爪とされており、前記挿入部分を前記開口端から挿入して前記係合爪を前記係合用切り欠きに内側から係合させることにより、前記連結具が前記放熱筒に対し脱抜不能に固定される、ことを特徴とする請求項１，２，３または４に記載した蛍光灯型半導体ランプ。
【請求項７】
請求項１に記載した蛍光灯型半導体ランプを２本連結した連結部外周面に締結・固定されて１１０Ｗ形にした蛍光灯型半導体ランプの中央部分を吊り下げて支持するための合成樹脂製の吊り下げ支持具であって、前記蛍光灯型半導体ランプの本体長手方向に対し直角方向の断面形状が上端の解放した丸底フラスコ状とされて前記連結部の外周面に密着して保持する丸く湾曲した保持部及び該保持部の両上端側から各々上向きに延設され一体的に固定面側の吊り下げ孔に嵌入されて掛止構造で前記吊り下げ孔側に掛止する対の掛止軸を備えている、ことを特徴とした吊り下げ支持具。
【請求項８】
前記対の掛止軸を上下に挿通させる挿通孔を有した鍔状の締結用部品を備えており、且つ、前記対の掛止軸が、対向する面側に所定幅の隙間を有して弾性的に開閉可能とされているとともに前記対向面の反対側の面に掛止構造としての遠心方向に延びた庇状の返しを縦に複数段有して互いに対称形とされており、前記締結用部品を前記対の掛止軸に対しその開閉方向に前記挿通孔の長径が一致する向きで前記隙間が所定幅開いた状態で上から挿通し、前記掛止軸基端側の前記返しの下方で軸周りに９０度回動させて前記挿通孔の短径が前記開閉方向に一致する向きにすることで、前記隙間を閉じて対の掛止軸を一体化しながら前記保持部を前記連結部に締結・固定させる、ことを特徴とする請求項７に記載した吊り下げ支持具。
【発明の詳細な説明】
【技術分野】
【０００１】
本発明は、蛍光灯用照明機器にそのまま使用することのできる蛍光灯型半導体ランプに関し、殊に、２本連結することで約２倍の長さの直管型蛍光灯に代替使用可能な蛍光灯型半導体ランプ、及び長尺使用時にその中央部分を吊り下げて支持するための吊り下げ支持具に関する。
【背景技術】
【０００２】
ＬＥＤや有機ＥＬ等の半導体発光素子を内蔵した半導体ランプは、従来主流であった蛍光灯（蛍光管）と比べて電力消費量が少なく耐久性にも優れていることから、コスト低減と省エネが推進されている近年において急速に普及しつつある。その一例として、ＬＥＤを内蔵した半導体ランプを直管状の蛍光灯型にして、従来の蛍光灯用照明機器に使用できるようにした製品が知られている。
【０００３】
斯かる蛍光灯型半導体ランプは、家庭用では２０Ｗ形や３０Ｗ形の短尺のものが主流であるが、業務用では４０Ｗ形や１１０Ｗ形のものが主流となっている。そのうち、最も長尺の１１０Ｗ形は工場等の大規模施設で汎用されているが、全長が約２４０ｃｍもあるため取り扱いや保管に不便であることに加え、運送コストも割高になってしまうという問題がある。
【０００４】
この問題に対し、実用新案登録第３１６２７４７号公報において、１１０Ｗ形の蛍光灯型半導体ランプを２分割して中央部分で可倒または分離可能に連結してなる分割式の蛍光灯型半導体ランプが提案されており、輸送・保管時には２分の１の長さに縮小できる点で利便性に優れたものとなっている。
【０００５】
しかし、１１０Ｗ形蛍光灯型半導体ランプを使用する施設では、４０Ｗ形のものも併用している場合が多いのに対し、この２分割式のランプは、分割した状態で４０Ｗ形のものとして使用することができない。また、ＬＥＤ電路板とコンバーターを内蔵したランプユニットを２つ連結して１１０Ｗ形蛍光灯型半導体ランプにすると、同長の蛍光灯よりもはるかに重くなって中央部分に大きな力が加わり、中央で撓みやすく連結・装着状態が不安定になりやすいが、この考案では連結部分の連結強度を高めたり照明機器からの脱落を防止したりする手段が提示されていない。
【０００６】
そこで、特許第５０１４４９６号公報において、４０Ｗ形の蛍光灯型半導体ランプの一方の口金を着脱式とし、口金を外した端面を接合面としてその２本を凹と凸で嵌合する構成に加え、その連結部の外周面を中間ホルダーで保持して連結を補強しながら１１０Ｗ形にする蛍光灯型半導体ランプが提案されている。これにより、連結しない場合は４０Ｗ形として使用でき、長尺使用時には中間ホルダーで連結状態が補強されて安定性・安全性が確保されるものとなる。
【０００７】
ところが、この蛍光灯型半導体ランプでは、長尺使用時の中間ホルダーが上下分割式であり、上側部材を天井や照明機器に取り付けてから照明機器にランプを装着し、その後、下側部材を取り付けて固定する手順を要する。そのため、ランプ装着作業に手間を要することに加え、照明機器の種類毎に異なるランプ中央部分と固定面側との距離を調整して適合させることが容易ではない。また、この蛍光灯型半導体ランプは、連結部の凹凸による結合力が十分ではないために重量増加につながる点灯回路（抵抗・整流手段）を内蔵しておらず、口金に設けた給電用ソケットに専用の給電ラインを接続する方式を採用しており、既存の蛍光灯用照明機器にそのまま使用できないという難点もある。
【０００８】
一方、実用新案登録第３１７３６６０号公報には、専用の給電ラインを要する点では共通しているものの、２本の４０Ｗ形蛍光灯型半導体ランプの一方の口金を外した開口端を対向させ、その上部放熱筒側に角型またはコ型の連結金具を挿入・連結して１１０Ｗ形にすることに加え、この連結金具をネジで締め付けるための連結補強板を連結部上面側に固定するものが提案されており、その連結補強板の中央凸部を天井または照明機器側にネジまたは三段式プッシュロックを介して固定する方式とされている。
【０００９】
この方式を採用すれば、両開口端に連結金具を挿入した状態で外側から連結補強板をネジ止めすることで連結が堅固になり、連結補強板の中央凸部をネジまたはプッシュロックで天井や照明機器に固定することで脱落しにくいものとなる。しかしながら、この方式も専用のコネクタを要して既存の蛍光灯用照明機器にそのまま使用できないことに加え、その装着時には、２本の４０Ｗ形蛍光灯型半導体ランプを連結金具で接続し、連結補強板をネジ止めして１１０Ｗ形にしてから、これを照明機器に装着または保持した状態で、連結部裏側の手探り作業にて固定を行う必要がある。
【００１０】
そのため、約２．４ｍと極めて長い蛍光灯型半導体ランプを天井または照明機器側に固定する際に、不安定な高所における難しい作業が要求される結果となる。また、プッシュロック式の固定はネジの場合と比べて作業が容易であるとともに距離調整もある程度可能になるものの、連結補強板の挿通孔に挿入して用いる別部品であるため、部品点数が増えてコスト高になることに加え連結補強板への挿入部分で揺動することで装着状態が不安定になりやすいという問題がある。
【先行技術文献】
【特許文献】
【００１１】
【特許文献１】実用新案登録第３１６２７４７号公報
【特許文献２】特許第５０１４４９６号公報
【特許文献３】実用新案登録第３１７３６６０号公報
【発明の概要】
【発明が解決しようとする課題】
【００１２】
本発明は、上記のような問題を解決しようとするものであり、４０Ｗ形の蛍光灯型半導体ランプを２本連結し１１０Ｗ形にして蛍光灯用照明機器に使用する場合に、従来の照明機器にそのまま使用できることに加え、安定的且つ安全な装着状態を容易に確保できるようにすることを課題とする。
【課題を解決するための手段】
【００１３】
そこで、本発明は、上部側が金属製の放熱筒で下部側が樹脂製のカバーとされた円筒状の本体に整流手段を有した点灯回路及び半導体発光素子を内蔵するとともに、本体両端側に蛍光灯用照明機器のソケット部に装着するための口金を有しており、一方の口金のみ内部の点灯回路に接続され他方の口金が電気的に接続されずに着脱可能とされた直管４０Ｗ形の蛍光灯型半導体ランプであって、その着脱可能な口金を外した本体端部側は、その放熱筒に所定形状の開口端及び連結用の係合構造を有しており、この蛍光灯型半導体ランプの２本が、開口端を対向した状態で１本の合成樹脂製横長部材からなる連結具の左右両端側を開口端から各々挿入し所定の係合手段でその係合構造に各々係合させることにより脱抜不能に連結されて、両端側の口金を所定のアダプタを介し１１０Ｗ形蛍光灯用照明機器のソケット部に各々装着することにより連結部で電気的に接続されることなく前記両口金で電源側に各々接続され、直管１１０Ｗ形の蛍光灯型半導体ランプとして使用されることを特徴とするものとした。
【００１４】
このように、点灯回路を内蔵して一方の口金を電気的な接続のない着脱可能なもの（ダミー）として、その口金を外した開口端に連結具を挿入し電気的に接続することなく２本を連結する方式の４０Ｗ形蛍光灯型半導体ランプとしたことにより、通常は４０Ｗ形として使用可能な蛍光灯型半導体ランプを２本連結するだけで１１０Ｗ形の光灯型半導体ランプとして長尺用の蛍光灯用照明機器に使用できるようになり、且つ、放熱筒端部側の係合構造と連結具とを脱抜不能に係合させて連結する方式としたことで、手間を要することなく堅固な連結が実現して安定的且つ安全な装着状態を確保できるものとなる。
【００１５】
また、上部側が金属製の放熱筒で下部側が樹脂製のカバーとされた円筒状の本体に整流手段を有した点灯回路及び半導体発光素子を内蔵するとともに本体両端側に蛍光灯用照明機器のソケット部に装着するための口金を有しており一方の口金のみ内部の点灯回路に接続され他方の口金が電気的に接続されず着脱可能とされた直管４０Ｗ形の蛍光灯型半導体ランプを２本連結してなる直管１１０Ｗ形の蛍光灯型半導体ランプであって、２本の前記直管４０Ｗ形の蛍光灯型半導体ランプを連結するための合成樹脂製で横長部材からなる連結具と、放熱筒端部側とこれに挿入した前記連結具とを係合させるための係合手段と、本体長手方向に対し直角方向の断面形状が上端の解放した丸底フラスコ状とされて連結部の外周面に密着して保持する丸く湾曲した保持部及びその両上端側から各々上向きに延設され一体的に固定面側の吊り下げ孔に嵌入されて掛止構造で前記吊り下げ孔側に掛止する対の掛止軸を備えた合成樹脂製の吊り下げ支持具とを備えており、その着脱可能な口金を外した本体端部側は、放熱筒に所定形状の開口端及び連結用の係合構造を有しており、その直管４０Ｗ形の蛍光灯型半導体ランプの２本が、開口端を対向した状態で連結具の左右両端側を開口端から各々挿入し所定の係合手段で前記係合構造に各々係合させることで脱抜不能に連結されて、両端側の口金を所定のアダプタを介し１１０Ｗ形蛍光灯用照明機器のソケット部に各々装着することにより連結部で電気的に接続されることなく両口金で電源側に各々接続され、中央部分が吊り下げ支持具で支持された状態で使用されることを特徴とするものとした。
【００１６】
これにより、連結具で堅固な連結状態が容易に確保されることに加え、長尺化した蛍光灯型半導体ランプを照明機器に装着する際に吊り下げ支持具を連結部に取り付けておくことで、その掛止軸を上方の吊り下げ孔に嵌入するだけで固定されて連結部が支持されるため、手間を要することなく安定的且つ安全な装着状態が確保されるようになる。
【００１７】
この場合、その吊り下げ支持具は、対の掛止軸を上下に挿通させる挿通孔を有した鍔状の締結用部品を備えており、且つ、この対の掛止軸が、対向する面側に所定幅の隙間を有して弾性的に開閉可能とされているとともに前記対向面の反対側の面に前記掛止構造としての遠心方向に延びた庇状の返しを縦に複数段有して互いに対称形とされており、前記締結用部品を対の掛止軸に対しその開閉方向に挿通孔の長径が一致する向きで前記隙間が所定幅開いた状態で上から挿通し、掛止軸基端側の返しの下方で軸周りに９０度回動させて前記挿通孔の短径が前記開閉方向に一致する向きにすることで、前記隙間を閉じて対の掛止軸を一体化しながら前記保持部を連結部に締結・固定させる、ことを特徴としたものとすれば、長尺化した蛍光灯型半導体ランプを照明機器に装着・固定する作業が極めて容易なものとなり、且つ、縦方向に複数段形成した掛止構造により、ランプ中央部分と固定面側との間の距離の変動に対しても容易に対応できるものとなる。
【００１８】
さらに、上述した蛍光灯型半導体ランプにおいて、その連結具は、その挿入部分の所定範囲が、本体長手方向に対する直角方向の断面形状を中空の略半円形とされた放熱筒の開口端から挿入することで、放熱筒内部における湾曲した上部内周面の所定範囲と平坦な底面中央部分の両方に当接するものとして、前記直角方向の断面形状が略Ｔ字状又は傘状とされている、ことを特徴としたものとすれば、連結具の重量増加を最小限に抑えながら優れた連結強度を発揮できるものとなり、且つ、連結部内側の空間的な連通性を阻害しにくいものとなる。
【００１９】
さらにまた、上述した蛍光灯型半導体ランプにおいて、その放熱筒の係合構造がその周壁上部側を貫通して設けたネジ挿通孔とされ、前記係合手段がネジとされており、連結具の両端側を前記開口端から挿入した状態で外側からネジ挿通孔を介し連結具の挿入部分にネジを螺入することにより、連結具が放熱筒に対し脱抜不能に固定されることを特徴としたものとすれば、簡易な手順で堅固な連結状態が確保されるものとなる。
【００２０】
或いは、上述した蛍光灯型半導体ランプにおいて、その放熱筒の係合構造は、その周壁上部側を貫通して設けた係合用切り欠きとされ、その係合手段が連結具の挿入部分外周面の対応位置に突設されて挿入時の挿入方向の動作は停止させず係合用切り欠きに係合した状態で脱抜方向の動作を停止させる係合爪とされており、前記挿入部分を開口端から挿入して係合爪を係合用切り欠きに内側から係合させることにより、連結具が放熱筒に対し脱抜不能に固定されることを特徴としたものとすれば、一層簡易な手順で堅固な連結状態が確保されるものとなる。
【００２１】
加えて、請求項１に記載の４０Ｗ形の蛍光灯型半導体ランプを２本連結した連結部外周面に締結・固定されて１１０Ｗ形にした蛍光灯型半導体ランプの中央部分を吊り下げて支持するための合成樹脂製の吊り下げ支持具であって、前記蛍光灯型半導体ランプの本体長手方向に対し直角方向の断面形状が上端の解放した丸底フラスコ状とされて連結部の外周面に密着して保持する丸く湾曲した保持部及びその両上端側から各々上向きに延設され一体的に固定面側の吊り下げ孔に嵌入されて掛止構造で吊り下げ孔側に掛止する対の掛止軸を備えている、ことを特徴としたものとすれば、天井側又は照明機器側に容易に固定されて長尺化した蛍光灯型半導体ランプの中央部分を安定的に支持できるものとなる。
【００２２】
この場合、その吊り下げ支持具は、対の掛止軸を上下に挿通させる挿通孔を有した鍔状の締結用部品を備えており、且つ、その対の掛止軸が、対向する面側に所定幅の隙間を有して弾性的に開閉可能とされているとともにその対向面の反対側の面に掛止構造としての遠心方向に延びた庇状の返しを縦に複数段有して互いに対称形とされており、締結用部品を対の掛止軸に対しその開閉方向に挿通孔の長径が一致する向きで前記隙間が所定幅開いた状態で上から挿通し、掛止軸基端側の返しの下方で軸周りに９０度回動させて前記挿通孔の短径が前記開閉方向に一致する向きにすることで、前記隙間を閉じて対の掛止軸を一体化しながら保持部を連結部に締結・固定させる、ことを特徴とした吊り下げ支持具であるものとすれば、連結部に対する吊り下げ支持具の締結作業が容易になることに加え連結部の固定面に対する距離の変動にも対応容易としながら掛止軸の固定作業が極めて容易なものとなる。
【発明の効果】
【００２３】
点灯回路を内蔵した２本の４０Ｗ形蛍光灯型半導体ランプを電気的に接続することなく連結具で堅固に連結するものとした本発明によると、従来の照明機器にそのまま使用できることに加え、安定的且つ安全な装着状態を容易に確保できるものである。
【図面の簡単な説明】
【００２４】
【図１】本発明の第１の実施の形態である連結後の１１０Ｗ形の蛍光灯型半導体ランプの斜視図である。
【図２】図１の蛍光灯型半導体ランプの内部構造を示す縦断面図である。
【図３】図１の蛍光灯型半導体ランプの分解斜視図である。
【図４】図１の蛍光灯型半導体ランプに使用する４０Ｗ形の蛍光灯型半導体ランプである。
【図５】（Ａ）は図１の蛍光灯型半導体ランプの吊り下げ支持具の斜視図、（Ｂ）はその正面図、（Ｃ）は（Ａ）の吊り下げ支持具に使用する締結用部品の拡大斜視図、（Ｄ）は（Ａ）の吊り下げ支持具の応用例を示す斜視図及び正面図である。
【図６】図５の吊り下げ支持具を連結部に締結する手順を示すものであって、（Ａ）は締結用部品を掛止軸に挿通した状態を示す部分平面図、（Ｂ）は締結用部品を回して吊り下げ支持具を連結部に締結した状態を示す部分平面図である。
【図７】図１の連結具の変形例を用いる場合を示す分解斜視図である。
【図８】本発明における第２の実施の形態である１１０Ｗ形の蛍光灯型半導体ランプの分解斜視図である。
【図９】（Ａ），（Ｂ）は図１，図７，図８の連結具の変形例を示す斜視図である。
【図１０】図１の連結具の他の応用例を示すものであって、（Ａ），（Ｂ），（Ｃ）は断面形状を略Ｔ字形にしたものを用いて連結した場合の拡大縦断面図、（Ｄ）は（Ｃ）の連結具の側面図である。
【発明を実施するための形態】
【００２５】
以下に、図面を参照しながら本発明を実施するための形態を説明する。尚、以下の説明で参照する図面において、蛍光灯型半導体ランプの本体は表示スペースの関係で実際よりも短く表現している。
【００２６】
図１は、本実施の形態の蛍光灯型半導体ランプ１Ａを示している。この蛍光灯型半導体ランプ１Ａは、１１０Ｗ形蛍光灯用照明機器に装着して使用することを想定した１１０Ｗ形（全長２３６７ｍｍ）の蛍光灯型ＬＥＤランプであって、４０Ｗ形（全長１１９８ｍｍ）の蛍光灯型半導体ランプ２（図４参照）を２台連結して長尺化するとともに、両端側に１１０Ｗ形蛍光灯用照明機器のソケット部に接続・装着するためのアダプタ２４，２４を接続してなるものである。
【００２７】
図４に示す４０Ｗ形の蛍光灯型半導体ランプ２は、上半分がアルミ合金製の放熱筒２１Ａで下半分が透光性のある樹脂製のカバー２２からなる円筒状の本体２０Ａに、半導体発光素子であるＬＥＤ２００を連設した電路板２５及び整流回路・抵抗を有した点灯回路を内蔵する（図２参照）とともに、両端側に４０Ｗ形蛍光灯用照明機器のソケット部に装着するための口金２３，２３を有しており、その一方の口金２３のみ内部の点灯回路に接続され、他方の口金２３が電気的に接続されないとともに着脱可能なものとされて、既存の４０Ｗ形蛍光灯用照明機器にそのまま装着し、４０Ｗ形蛍光灯に代替して使用できるようになっている。
【００２８】
図３の分解斜視図を参照して、前述した蛍光灯型半導体ランプ２の着脱可能な口金２３を外した本体２０Ａの端部側は、中空の放熱筒２１Ａにおいて半円状に開口した開口端２１ａ及び連結用の係合構造としてのネジ挿通孔２１０，２１０を上部周壁に有しており、その２本が各開口端２１ａを対向した状態で合成樹脂製の蒲鉾状横長部材による連結具３０Ａを各開口端２１ａに挿入することで連結されて、長尺１１０Ｗ形の蛍光灯型半導体ランプ１Ａとなる。
【００２９】
図２の縦断面図を参照して、係合手段であるネジ６２を放熱筒２１Ａ外部からネジ挿通孔２１０に各々挿通し、連結具３０Ａの挿入部３０，３０上面側に穿設したネジ孔３００（図３参照）に各々螺入して各々係合させることにより、２本の４０Ｗ形蛍光灯型半導体ランプ２，２が、通常の使用において脱抜不能な状態にて堅固に連結される。また、両端側の口金２３，２３を、アダプタ２４，２４を介して１１０Ｗ形蛍光灯用照明機器のソケットに各々装着することにより、中央の連結部で電気的に接続されることなく両口金２３，２３で電源側に各々接続され、直管１１０Ｗ形蛍光灯に代替して使用されるものとしている。さらに、連結具３０Ａを合成樹脂成形品としたことにより、連結強度は十分に確保しながらこれを金具とした従来例と比べて、撓みやすい長尺のランプ中央部分の重量増加を最小限に抑えることを可能としている。
【００３０】
そして、本実施の形態では、長尺化した１１０Ｗ形の蛍光灯型半導体ランプ１Ａの中央部分になる連結部に吊り下げ支持具４１Ａを締結・装着し、その掛止軸４１ｂ,４１ｃを照明機器側（又は天井板）に開口した吊り下げ孔に嵌入して掛止・固定することにより、その中央部分を吊り下げた状態で支持する方式を採用しており、吊り下げ支持することで装着状態を安定化させて地震等の振動があった場合でも照明機器から脱落しにくくした点を特徴としている。
【００３１】
図５を参照して、斯かる吊り下げ支持具４１Ａは、適度な弾性を有した合成樹脂成形品であるが、図（Ｂ）の正面図に示すように、装着時における本体２０Ａ長手方向に対する直角方向の断面形状が上端の解放した丸底フラスコ状となっており、連結部外周面に密着しながら連結部を保持するように筒状に丸く湾曲した保持部４１ａ及びその両上端側から上向き且つ略平行に各々延設されて一体的に固定面側の吊り下げ孔に嵌入することで吊り下げ孔側に掛止する対の掛止軸４１ｂ，４１ｃを備えている。
【００３２】
この吊り下げ支持具４１Ａは、後述するように対の掛止軸４１ｂ，４１ｃを上下に挿通・回動させてこれを連結部側に締結させるための略長方形の部品である挿通孔４２ａを有した鍔状の締結用部品４２（図５（Ｃ）参照）と組み合わされて使用されるものである。
【００３３】
一方、対の掛止軸４１ｂ，４１ｃは、その延長方向（上下方向）に対し直角方向の断面形状が各々略長方形とされ（図６参照）、一方の長辺を構成する面同士が所定幅の隙間を有して弾性的に開閉可能な状態で対向しているとともに、他方の長辺を構成する面には遠心方向に延びた掛止構造としての庇状の返し４１０が縦に複数段形成されて、互いに点対称の形状となっている。
【００３４】
この吊り下げ支持具４１Ａを連結部に締結するには、本体２０Ａ，２０Ａを連結する前に、一方の本体２０Ａ端部側に吊り下げ支持具４１Ａの保持部４１ａを挿通しておき、両者を連結してから図６（Ａ）の平面図に示すように、締結用部品４２を対の掛止軸４１ｂ，４１ｃの開閉方向に挿通孔４２ａの長径が一致する向きで対の掛止軸４１ｂ，４１ｃが所定幅開いた状態のまま上から挿通することにより、掛止軸４１ｂ，４１ｃの基端側まで移動して停止する。
【００３５】
そして、図６（Ｂ）に示すように、掛止軸４１ｂ，４１ｃ基端側の返し４１０の下方位置で軸周り（時計回り方向）に９０度回動させて挿通孔４２ａの短径が前記開閉方向に一致する向きにする。すると、掛止軸４１ｂ，４１ｃは挿通孔４２ａの内周面で摺動しながら近接方向に動き、前記開閉方向が前記短径に一致する位置にて間隔の狭い内周部分で掛止軸４１ｂ，４１ｃが挟みこまれて前記対向した面が密着し、対の掛止軸４１ｂ，４１ｃが一体化するとともに保持部４１ａが連結部の外周側に締結・固定される。
【００３６】
このように、掛止軸４１ｂ，４１ｃに鍔状の吊り下げ支持具４１Ａを挿通して９０度回すだけの簡単な手順により、長尺化した蛍光灯型半導体ランプ１Ａの中央部分である連結部に締結して装着されるものとなる。また、その一体化した掛止軸４１ｂ，４１ｃを照明機器（または天井板）の吊り下げ孔に嵌入するだけで固定されて吊り下げ支持されるものであるが、いったん嵌入してから締結用部品４２をさらに解放方向に回動させることにより、掛止軸４１ｂ，４１をその弾性反発力により吊り下げ孔内で開かせることができ、これにより一層抜けにくくすることができる。
【００３７】
また、一体化した掛止軸４１ｂ，４１ｃの外周側において縦方向に掛止構造としての返し４１０を複数段設けてプッシュロックを構成したことにより、その挿入深さを変更するだけでランプ中央部分と固定面側との距離の変動に対して容易に対応することも可能となった。さらに、掛止軸４１ｂ，４１ｃは連結部に締結される保持部４１ａと一体部品であることから、これを別部品とした従来例と比べて低コストで済むとともに、接合部で揺動することがなく安定性にも優れたものとなっている。
【００３８】
このような方式を本実施の形態において採用したことで、長尺化した蛍光灯型半導体ランプ１Ａを照明機器に装着する際に、吊り下げ支持具４１Ａを連結部に取り付けた状態のままその掛止軸４１ｂ，４１を上方の吊り下げ孔に挿入して固定できるようになり、手間を要することなく安定的且つ安全な装着状態を確保できるようになった。
【００３９】
尚、この吊り下げ支持具４１Ａは、本体２０Ａ，２０Ａが対向している端面の当接線に幅方向の中心線を一致させて締結することが好ましいが、図６（Ｂ）に示すように、装着状態においてその保持部４１ａの両端面にネジ６２，６２の側面が当接する位置関係とすることにより、正確な位置決めが容易に行えるものとなる。或いは、図５（Ｄ）の応用例に示すように、保持部４１ａの内周面中心線に沿って楔状の凸部４１２，４１２を設けて、締結動作による保持部の縮小によりその先端がカバー２２，２２端面の隙間（セパレータ３０ｂ（図３参照）の幅分だけ形成される）に嵌入するようにしてもよい。
【００４０】
図７は、図３に記載した連結具３０Ａの変形例としての連結具３０Ｂを用いる場合を示した分解斜視図である。この例では連結部の隙間から埃等が内部に侵入するのを防止するためにリング状のカバー枠３１ｂを設けた点を特徴としており、上部の放熱筒２１Ａ，２１Ａの端部側と下部のカバー２２，２２の端部側を嵌め込んだ状態で連結する構成であることから、連結状態が一層堅固なものとなる。
【００４１】
図８は、本発明における第２の実施の形態である１１０Ｗ形の蛍光灯型半導体ランプ１Ｂの分解斜視図を示している。本実施の形態では、放熱筒２１Ｂの係合構造がネジ挿通孔２１０ではなく、その周壁上部側を貫通した係合用切り欠き２１１，２１１とされ、その係合手段がネジ６２ではなく連結具３０Ｃの挿入部３２，３２外周面の対応位置に各々突設した係合爪３２０とされており、連結作業をさらに簡易化できるようにした点を特徴としている。
【００４２】
この係合手段としての係合爪３２０は、挿入時の挿入方向の動作は停止させないが、係合用切り欠き２１１に係合した状態で脱抜方向の動作に抗して停止させる鈎状構造を有しており、この連結具３０Ｃの両挿入部３２，３２を開口端２１ａ，２１ａから各々挿入し、連結位置で係合爪３２０を係合用切り欠き２１１に内側から各々係合させることで連結具３０Ｃが放熱筒２１Ｂ，２１Ｂに対して脱抜不能に固定されるため、さらに簡易な手順により堅固な連結状態が確保される。
【００４３】
尚、この実施の形態において連結状態から連結具３０Ｃを脱抜する際には、ドライバーの先端等で係合用切り欠き２１１内に露出している係合爪３２０の上端側を外側から押して没入させれば引き抜くことができる。また、挿入時及び脱抜の際に係合爪３２０の抵抗が強すぎる場合には、これを連結具３０Ｃの挿入部上面に対し弾性的に没入可能とするスリットを設けても良い。
【００４４】
図９（Ａ）は、上述した連結具３０Ａ，３０Ｂ，３０Ｃとは異なる構成の応用例としての連結具３０Ｄを示している。この連結具３０Ｄは、連結具３０Ａのネジ孔３００と同様のネジ孔３３０，３３０及び連結具３０Ｃの係合爪３２０と同様の係合爪３４０，３４０の両方を備えたものとしており、連結状態の堅固さと連結作業の簡易化との調和を実現することを想定したものである。
【００４５】
一方、図９（Ｂ）は、前述した連結具３０Ａの変形例としての連結具３０Ｅを示しており、連結具３０Ａのセパレータ３０ｂの左右下端側を延長するとともに放熱筒２１Ａの端部側に口金２３を接続・固定するため形成したネジ孔に嵌入される嵌入バー３４０を互いに反対方向に延設してなるセパレータ３４ｂを備えたものであり、より堅固な連結状態を確保可能とした点を特徴としている。
【００４６】
図１０は、図１の連結具３０Ａの他の応用例としての連結具３０Ｆ，３０Ｇ，３０Ｈを示しており、その挿入部の所定範囲が、本体長手方向に対する直角方向の断面形状を中空の半円形とした放熱筒２１Ｃ，２１Ｄの開口端から各々挿入することにより、放熱筒２１Ｃ，２１Ｄ内部における湾曲した上部内周面の所定範囲と平坦な底面の中央部分の両方に当接するものとして、前記直角方向の断面形状を略Ｔ字状とした点を特徴としている。
【００４７】
即ち、図（Ａ）は断面Ｔ字状の連結具３０Ｆを対向した放熱筒２１Ｃ，２１Ｃの開口端から挿入して連結した場合の挿入部の断面図を示しており、図（Ｂ）はその湾曲した部分の両端側をさらに下向きに延長するとともに、放熱筒２１Ｃの口金２３を固定するネジ孔２５０，２５０に挿入して係合させるための先端側を拡大部としたフランジ３６０，３６０を形成してなる連結具３０Ｇを示している。一方、図（Ｃ）は連結具３０Ｇの上面側に係合用切り欠き２１２に係合させるための係合爪３５０，３５０を突設してなる連結具３０Ｈを示している。
【００４８】
このように連結具を断面Ｔ字状にして、放熱筒の内部湾曲面及び底面の両方に当接する構成としたことで、連結具の重量増加を最小限に抑えながらその強度を高めて連結状態をより堅固にすることができるとともに、この隙間のある断面形状により、連結部における空間的な連通性を阻害しにくいという利点も有している。尚、その断面形状はＴ字状のほか傘状にしても同様である。また、上述した連結具３０Ａ，３０Ｂ，３０Ｃ，３０Ｄ，３０Ｅ，３０Ｆ，３０Ｇ，３０Ｈの各特徴部分を適宜組み合わせることにより、各々の特徴を複合して発揮させる構成も可能であることは言うまでもない。
【００４９】
以上、述べたように、４０Ｗ形の蛍光灯型半導体ランプを２本連結して１１０Ｗ形として従来の蛍光灯用照明機器に使用する場合に、本発明により照明機器の給電系統を改造することなくそのまま使用できることに加え、安定的且つ安全な装着状態を容易に確保できるようになった。
【符号の説明】
【００５０】
１Ａ，１Ｂ，２  蛍光灯型半導体ランプ、２０Ａ，２０Ｂ  本体、２１Ａ，２１Ｂ，２１Ｃ，２１Ｄ  放熱筒、２１ａ  開口端、２２  カバー、２３  口金、２４  アダプタ、３０Ａ，３０Ｂ，３０Ｃ，３０Ｄ，３０Ｅ，３０Ｆ，３０Ｇ，３０Ｈ  連結具、３０，３１，３２，３３  挿入部、４１Ａ，４１Ｂ  吊り下げ支持具、４１ａ  保持部、４１ｂ，４１ｃ  掛止軸、４２  締結用部品、４２ａ  挿通孔、６２  ネジ、２００  ＬＥＤ、２１０  ネジ挿通孔、２１１，２１２  係合用切り欠き  ３００，３３０  ネジ孔、３２０，３４０，３５０  係合爪、４１０  返し
【図１】
2014135211.tif 000003
【図２】
2014135211.tif 000004
【図３】
2014135211.tif 000005
【図４】
2014135211.tif 000006
【図５】
2014135211.tif 000007
【図６】
2014135211.tif 000008
【図７】
2014135211.tif 000009
【図８】
2014135211.tif 000010
【図９】
2014135211.tif 000011
【図１０】
2014135211.tif 000012